(57)【要約】【課題】  ジエット機の空気取入口は大きく開口しているため、地上滑走時や飛行中に鳥、小石、氷片等の異物をしばしば吸い込み、フアンやエエンジンを損傷させ、損傷が激しい時は、不時着や墜落等の重大事故が発生する。  これが実状であるだけに、航空機を利用する度に恐怖を感じる。【解決手段】  フアン前面に防護ネットを密着させて、上記不安を解決した。  これにより、防護ネットがフアンに密着する相乗効果で、両者の強度は増し、しかも、フアンと共に高速で回転する防護ネットの編目の凸凹が鋸作用をし、吸い込んだ異物を瞬時に破砕して半径方向に飛散し、フアン排気孔より抜けさせるので、エンジンは損傷しないと共に衝突圧は分散されるのでフアンも損傷しない。  したがって、本発明をジエット機に装着すれば、地上滑走時や飛行中に異物を吸い込んでも安全に飛行することができる。【選択図】図１
2016102493.tif 000002
【特許請求の範囲】
【請求項１】
フアン前面に、金網に基本軸と補助基本軸を組合せて、フアンよりやや小径の防護ネットを形成し、且、基本軸の内端を前面に向けＬ字状に折曲げてＬ端を形成し、また、スピナ取り付け軸の軸心方向にＬ端を嵌合する溝を、Ｌ端の数だけ形成し、然る後、Ｌ端を溝に嵌合して押し込み、また、スピナの開口部に、基本軸を嵌合する半円孔を開け、該半円孔を基本軸に嵌合して押し付け、防護ネットをスピナで確実に取り付けるようにしたバード・ストライク防止装置。
【請求項２】
フアンと同径に形成した防護ネットの外周を一定巾フアンに当て、中心になるにつれて前傾し、該防護ネットの基本軸のＬ端を、スピナ取り付け軸の中間部を小径に形成して嵌合し、また、スピナの開口部に基本軸を嵌合する長孔をスピナの頂点方向に開け、然る後、該長孔を基本軸に嵌合して押し付け、該防護ネットをスピナで確実に取り付けた請求項１のバード・ストライク防止装置。
【発明の詳細な説明】
【技術分野】
【０００１】  本発明は、鳥、小石、氷片等の異物を吸い込んでも安全に飛行できるようにしたバード・ストライク防止装置に関する。
【背景技術】
【０００２】  ジェット・エンジンの空気取り入り口は大きく開口しているため、地上滑走時や飛行中に異物を吸い込み、危険きわまりない。【０００３】  このため、フアンや、エンジンは損傷が絶えず、目立たない時は反復飛行しているが、これが積り積って飛行不能となり、不時着、墜落等の事故が発生する。
これを防止するため、一般的な整備と分解整備を行うが、この時、初めて、大小のかくれた損傷が発見され、そのために、整備や部品交換に多額に費用がかかっている。【０００４】  しかし、如何に入念に整備していても、飛行中バード・ストライクが発生すると、エンジンが損傷して不時着、墜落する。
２００９年１月１５日ニューヨーク・ハドソン川の不時着が具体例で、危険性を常にはらんでいる。
【発明の概要】
【発明が解決しようとする課題】
【０００５】  以上が実態で、航空機の事故率は他に比較して低いといわれても、利用する度に恐怖を感じる。【０００６】  従来、このような状況でありながら、異物の吸い込みに対して、何ら対策がとられてないのが現状である。
本発明は、この現状を打破するため、積極的対策として、フアン前面に防護ネットを直接取り付け、フアンやエンジンの損傷を防止し、安全な飛行ができるようにしたものである。
【課題を解決するための手段】
【０００７】  そして、本発明は、上記目的を達成するため、第１の課題解決手段の図１から図５は、フアン前面に、金網に基本軸と補助基本軸を組合せて、フアンよりやや小径の防護ネットを形成し、且、基本軸の内端を前方に向けＬ字状に折曲げてＬ端を形成し、また、スピナ取り付け軸の軸心方向にＬ端を嵌合する溝を、Ｌ端の数だけ形成し、然る後、Ｌ端を溝に嵌合して押し込み、また、スピナの開口部に、基本軸を嵌合する半円孔を開け、該半円孔を基本軸に嵌合して押し付け、防護ネットをスピナで確実に取り付けるようにしたものである。【０００８】  第２の課題解決手段の図６から図８は、フアンと同径に形成した防護ネットの外周を一定巾フアンに当て、中心になるにつれて前傾し、該防護ネットの基本軸のＬ端を、スピナ取り付け軸の中間部を小径に形成して嵌合し、また、スピナの開口部に基本軸を嵌合する長孔をスピナの頂点方向に開け、然る後、該長孔を基本軸に嵌合して押し付け、該防護ネットをスピナで確実に取り付け、また、フアンの外周部分に対するフアンケースに凹周を形成したものてある。
【発明の効果】
【０００９】  第１の課題解決手段の図１から図５の防護ネットは基本線をＬ端で、ススピナ取り付け軸に確実に固定するようにしたので、吸い込んだ異物を、フアンと共に高速で回転する防護ネットが瞬時に破砕して半径方向に飛散し、フアン排気孔より抜けさせ、エンジンには微少しか入らないので、エンジンは損傷しない。【００１０】  この時、フアンは大きな衝突圧を受けるが、防護ネットがフアンに密着している相乗効果で、防護ネットとフアンの強度は増し、しかも、フアンと共に高速で回転する防護ネットの編目の凸凹が鋸作用し、瞬時に破砕して半径方向に飛散し、フアン排気孔より抜けさせ、衝突圧は分散されるのでフアンも損傷しない。【００１１】  したがって、本発明をジェット機に装着すれば、地上滑走や飛行中に異物を吸い込んでも安全に飛行することができる。【００１２】  第２の課題解決手段の図６から図８は、フアンケースに凹周を形成し、破砕した異物を凹周から抜けさせるようにしたが、現在の技術では、凹周によるフアンの吸い込み力の大きな低下につながり、エンジンは用をなさないので、将来、凹周を形成しても、効果が得られるエンジンが開発されれば、その時、初めて、異物排除の有効手段となる。
【図面の簡単な説明】
【００１３】第１の課題解決手段
【図１】  本発明の縦断正面図
【図２】  図１の左側面図
【図３】  図１のＡ部のＬ端図
【図４】  スピナの拡大正面図
【図５】  図４の右側面図第２の課題解決手段【図６】  第２の課題解決手段の縦断正面図
【図７】  スピナの拡大正面図
【図８】  図７の右側面図
【発明を実施するための形態】
【００１４】  第１の課題解決手段の１０はスピナ取り付け軸の軸心方向に、防護ネット６のＬ端９が嵌合する溝で、スピナ取り付け軸の軸心方向にＬ端９の数を開けている。
６は、フアン２前面に金網、基本軸７、補助基本軸８を組合せて形成した防護ネットで、フアン２よりやや小径に形成している。
９は、基本軸７の内端を前方に向けＬ字状に折曲げたＬ端で、スピナ取り付け軸の溝１０に嵌合して押し込んでいる。
１１はスピナ２の開口部に開けた半円孔で、該半円孔１１を防護ネット６のＬ端９を嵌合して押し付け、防護ネット６をスピナ３で確実に取り付けている
【００１５】  なお、防護ネット６は異物の衝突を受けると同時に破砕、飛散作用をするので、防護ネット６を構成する金網、基本軸７、補助基本軸８は、ばね鋼材、ピアノ線等の弾力や強じん性に富んだ材料で形成する。
【００１６】  第２の課題解決手段の図６から図８の６は、フアン２と同径に形成し、外周を一定巾フアン２に当て、中心部になるにつれて前傾した防護ネットで、該防護ネット６の基本軸７のＬ端９を、スピナ取り付け軸の中間部を小径に形成して押し込んでいる。
【００１７】  １２はスピナ３の開口部に、スピナ３の頂点方向に開けた長孔で、該長孔１２を防護ネット６の基本軸７に嵌合して押し付け、防護ネット６をスピナ３で確実に取り付けている。
【符号の説明】
【００１８】１    ジェット・エンジン
２    フアン
３    スピナ
４    コアエンジン
５    フアン排気孔
６    防護ネット
７    基本軸
８    補助基本軸
９    Ｌ端
１０  溝
１１  半円孔
１２  長孔
１３  フアンケース
１４  凹周
【図１】
2016102493.tif 000003
【図２】
2016102493.tif 000004
【図３】
2016102493.tif 000005
【図４】
2016102493.tif 000006
【図５】
2016102493.tif 000007
【図６】
2016102493.tif 000008
【図７】
2016102493.tif 000009
【図８】
2016102493.tif 000010
【手続補正書】
【提出日】平成28年1月29日(2016.1.29)
【手続補正１】
【補正対象書類名】明細書
【補正対象項目名】全文
【補正方法】変更
【補正の内容】
【発明の詳細な説明】
【技術分野】
【０００１】  本発明は、鳥、小石、氷片等の異物を吸い込んでも安全に飛行できるようにしたバード・ストライク防止ネットに関する。
【背景技術】
【０００２】  ジェット・エンジンの空気取り入り口は大きく開口しているため、地上滑走時や飛行中に異物を吸い込み、危険きわりない。【０００３】  このため、フアンや、エンジンは損傷が絶えず、目立たない時は、反復飛行しているが、これが積り積もって飛行不能となり、不時着、墜落等の重大事故が発生する。
これを防止するため、一般的な整備と分解整備を行うが、この時、初めて、大小のかくれた損傷が発見され、そのために、整備や部品交換に多額の費用がかかっている。【０００４】  しかし、如何に入念に整備していても、飛行中、バード・ストライクが発生すると、エンジンが損傷して不時着、墜落する。
２００９年１月１５日ニューヨーク・ハドソン川の不時着が具体例で、危険性を常にはらんでいる。
【発明の概要】
【発明が解決しようとする課題】
【０００５】  以上が実態で、航空機の事故率は他に比較して低いといわても、利用する度に恐怖を感じる。
【課題を解決するための手段】
【０００６】本発明は、上記目的を達成させるため、図１から図５に示すように、フアン前面に、金網に基本軸と補助基本軸を組合せて、フアンよりやや小径の防護ネットを形成し、且、基本軸の内端を前方に向けＬ字状に折曲げてＬ端を形成し、また、スピナ取り付け軸の軸心方向に、Ｌ端を嵌合する溝を、Ｌ端の数だけ形成し、而して、Ｌ端を溝に嵌合して押し込み、また、スピナの開口部に、基本軸を嵌合する半円孔を形成し、該半円孔を基本軸に嵌合して押し付け、防護ネットをスピナで確実に取り付けるようにしたものである。
【発明の効果】
【０００７】本発明の防護ネットは、基本線をＬ端で、スピナ取り付け軸に確実に取り付けるようにしたので、吸い込んだ異物を、フアンと共に高速で回転する防護ネットが瞬時に破砕して半径方向に飛ばし、フアン排気孔より抜けさせ、エンジンには微少しか入らないので、エンジンは損傷しない。【０００８】  この時、フアンは大きな衝突圧を受けるが、防護ネットがフアンに密着している相乗効果で、防護ネットとフアンの強度は増し、しかも、フアンと共に高速で回転する防護ネットの網目の凸凹が鋸作用し、瞬時に破砕して半径方向に飛散し、フアン排気孔より抜けさせ、衝突圧を分散するので、フアンも損傷しない。【０００９】  したがって、本発明をジェット機に装着すれば、地上滑走や飛行中に異物を吸い込んでも安全に飛行することができる。
【図面の簡単な説明】
【００１０】
【図１】本発明の縦断正面図
【図２】図１の線Ａ−Ａの側面図
【図３】図２のＢ矢視図
【図４】スピナの拡大正面図
【図５】図４の線Ｃ−Ｃの側面図
【発明を実施するための形態】
【００１１】図１から図５の１０はスピナ取り付け軸の軸心方向に、防護ネット６のＬ端９が嵌合する溝で、スピナ取り付け軸の軸心方向にＬ端９の数を開けている。
６は、フアン２の前側に金網、基本軸７、補助基本軸８を組合わせて形成した防護ネットで、フアン２よりやや小径に形成している。
９は、基本軸７の内端を前方に向けＬ字状に曲げたＬ端で、スピナ取り付け軸の溝１０に嵌合して押し込んでいる。
１１はスピナ３の開口部に形成した半円孔で、該半円孔１１を防護ネット６のＬ端９に嵌合して押し付け、防護ネット６をスピナ３で確実に取り付けている。
【００１２】  なお、防護ネット６は異物の衝突を受けると同時に破砕、飛散作用をするので、防護ネット６を構成する金網、基本軸７、補助基本軸８は、ばね鋼材、ピアノ線等の弾力や強じん性に富んだ材料で形成する。
【符号の説明】
【００１３】  １  ジェット・エンジン
２  フアン
３  スピナ
４  コアエンジン
５  フアン排気孔
６  防護ネット
７  基本軸
８  補助基本軸
９  Ｌ端
１０  溝
１１  半円孔
【手続補正２】
【補正対象書類名】特許請求の範囲
【補正対象項目名】全文
【補正方法】変更
【補正の内容】
【特許請求の範囲】
【請求項１】
フアン前面に、金網に基本軸と補助基本軸を組合せており、フアンよりやや小径の防護ネットを形成しており、且、基本軸の内端を前面に向けＬ字状に折曲げてＬ端を形成しており、また、スピナ取り付け軸の軸心方向にＬ端を嵌合する溝を、Ｌ端の数だけ形成しており、而して、Ｌ端を溝に嵌合して押し込み、また、スピナの開口部に、基本軸を嵌合する半円孔を開けており、該半円孔を基本軸に嵌合して押し付けており、防護ネットをスピナで確実に取り付けるようにしているバード・ストライク防止ネット。
【手続補正４】
【補正対象書類名】図面
【補正対象項目名】全図
【補正方法】変更
【補正の内容】
【図１】
2016102493.tif 000011
【図２】
2016102493.tif 000012
【図３】
2016102493.tif 000013
【図４】
2016102493.tif 000014
【図５】
2016102493.tif 000015